(57)【特許請求の範囲】
【請求項１】
互いにブロック構造となる複数系統の放送素材信号を切替指示信号に応じて選択的に切り替えて送出する放送素材信号切替送出装置において、
映像信号の同期信号を発生する同期信号発生手段と、
少なくとも１系統の放送素材信号を記録し、入力される再生指令信号に基づいて、記録した放送素材信号を再生して出力するサーバと、
前記切替指示信号が入力されるとき、前記切替指示信号から前記同期信号に同期したタイミングで、前記サーバに前記再生指令信号を送出し、前記放送素材信号の系統切替に必要な切替制御信号を生成する切替制御信号生成手段と、
前記切替制御信号及び前記同期信号に基づいて、切替元となる系統の放送素材信号のブロックと切替先となる系統の放送素材信号のブロックとを同期させて、切り替える切替手段とを具備したことを特徴とする放送素材信号切替送出装置。
【請求項２】
前記複数系統の放送素材信号がそれぞれ映像フィールド構造であるとき、
前記切替手段は、前記切替制御信号及び前記同期信号に基づいて、切替元となる系統の放送素材信号の映像フィールドと切替先となる系統の放送素材信号の映像フィールドとを同期させて、切り替えることを特徴とする請求項１記載の放送素材信号切替送出装置。
【請求項３】
サーバから再生出力され複数系統でブロック構造の放送素材信号を切替指示信号に応じて選択的に切り替える切替手段を制御する切替制御装置において、
映像信号の同期信号を受信する同期信号受信手段と、
切替指示信号が入力されるとき、前記同期信号に同期したタイミングで、前記サーバに再生指令信号を送出し、切替元となる系統の放送素材信号のブロックと切替先となる系統の放送素材信号のブロックとを同期させて、前記切替手段を切り替える制御手段とを具備したことを特徴とする切替制御装置。
【請求項４】
前記複数系統の放送素材信号がそれぞれ映像フィールド構造であるとき、
前記制御手段は、前記同期信号に同期したタイミングで、切替元となる系統のデジタル放送信号の映像フィールドと切替先となる系統のデジタル放送信号の映像フィールドとを同期させて、切り替えることを特徴とする請求項３記載の切替制御装置。
【発明の詳細な説明】
【技術分野】
【０００１】
この発明は、放送局内において、複数系統の放送素材信号を選択的に切り替えて送出する放送素材信号切替送出装置及び切替制御装置に関する。
【背景技術】
【０００２】
放送局にあっては、編成時刻に合わせてスイッチャーにより番組素材データを送出したり、番組素材データからＣＭ（コマーシャル）素材データに切り替えて送出している。この場合、自動番組送出制御装置からの切替制御信号に基づいて番組素材データの切り替えやＣＭ素材データの切り替えを行なうようにしている（例えば、特許文献１）。
【特許文献１】特開２００３−３１８９０８号公報。
【発明の開示】
【発明が解決しようとする課題】
【０００３】
ところで、上記放送局では、スイッチャーにより番組素材データの切り替えやＣＭ素材データの切り替えを行なう場合に、以下の問題を改善することが要望されている。  
近年、開始されている地上デジタル放送では、アナログ放送よりも緻密かつ正確な処理が要求される。この要求に対し、局内の各スタジオ機器の制御を基本的に秒単位で行なっており、このため、制御時間誤差が一定以上に至った場合に、番組素材データ切り替えの繋ぎ目に一瞬不要な画面が見える等の現象が発生することがある。
【０００４】
この発明の目的は、放送素材信号の系統を切り替える際に、それぞれの系統間で切替タイミングを合わせることができ、しかも送出信号に乱れを生じさせることない放送素材信号切替送出装置及び切替制御装置を提供することにある。
【課題を解決するための手段】
【０００５】
この発明は、上記目的を達成するために、以下のように構成される。  
互いにブロック構造となる複数系統の放送素材信号を切替指示信号に応じて選択的に切り替えて送出する放送素材信号切替送出装置において、映像信号の同期信号を発生する同期信号発生手段と、切替指示信号が入力されるとき、切替指示信号から同期信号に同期したタイミングで、放送素材信号の系統切替に必要な切替制御信号を生成する切替制御信号生成手段と、切替制御信号及び同期信号に基づいて、切替元となる系統の放送素材信号のブロックと切替先となる系統の放送素材信号のブロックとを同期させて、切り替える切替手段とを備えるようにしたものである。
【０００６】
この構成によれば、切替指示信号が入力されたときに、この切替指示信号から映像信号の同期信号に同期したタイミングで、放送素材信号の系統切替に必要な切替制御信号を生成し、この切替制御信号及び同期信号に基づいて、切替元の系統の放送素材信号と切替先の系統の放送素材信号とをブロック単位で同期させた上で、切り替えるようにしている。
【０００７】
従って、映像信号の同期信号を利用して系統間の放送素材信号をブロック単位で同期させることができるようになり、これによってブロック単位で切替タイミングの制御を行えるようになる。
【発明の効果】
【０００８】
以上詳述したようにこの発明によれば、放送素材信号の系統を切り替える際に、それぞれの系統間で切替タイミングを合わせることができ、しかも送出信号に乱れを生じさせることない放送素材信号切替送出装置及び切替制御装置を提供することができる。
【発明を実施するための最良の形態】
【０００９】
以下、この発明の実施形態について図面を参照して詳細に説明する。  
図１は、この発明の一実施形態とする放送番組送出システムの概略構成を示すブロック図である。
【００１０】
図１のシステムにおいて、バス１０には番組サーバ（ＶＴＲ：Video Tape Recorder）１１、ＣＭサーバ１２、スイッチャー１３及び自動番組送出制御装置（ＡＰＣ）１４が接続される。
【００１１】
番組サーバ１１は放送すべき放送素材信号としての番組データを記録し、自動番組送出制御装置１４からの再生指令信号に基づき、記録した番組データを再生してスイッチャー１３に出力する。また、自動番組送出制御装置１４からの再生停止指令信号に基づき、番組データを再生停止する。ＣＭサーバ１２は放送すべきＣＭ（コマーシャル）データを記録し、自動番組送出制御装置１４からの再生指令信号に基づき、記録したＣＭデータを再生してスイッチャー１３に出力する。これら番組サーバ１１の出力及びＣＭサーバ１２の出力は、スイッチャー１３によって選択的に導出され、以後放送信号として送出される。自動番組送出制御装置１４は、データサーバ（図示せず）から提供される放送スケジュールデータに従って、番組サーバ１１及びＣＭサーバ１２に再生指令信号または再生停止指令信号を送出した上で、スイッチャー１３の切替制御を行なう。また、自動番組送出制御装置１４は、番組サーバ１１の出力及びＣＭサーバ１２の出力以外にも、他の番組データの送出制御及び切替制御も行なっている。
【００１２】
ところで、この実施形態において、番組サーバ１１、ＣＭサーバ１２、スイッチャー１３及び自動番組送出制御装置１４は、同期信号発生器１５から発生する映像の同期信号となるＢＢ（Black Burst）同期信号に基づいて動作する。
【００１３】
同期信号発生器１５は、ＢＢ同期信号を生成して、番組サーバ１１、ＣＭサーバ１２、スイッチャー１３及び自動番組送出制御装置１４に供給する。
【００１４】
これに対し、自動番組送出制御装置１４は、図２に示すように、同期インタフェース（Ｉ／Ｆ）部１４１と、制御部１４２と、バスインタフェース（Ｉ／Ｆ）部１４３とを備えている。
【００１５】
同期インタフェース（Ｉ／Ｆ）部１４１は、同期信号発生器１５との間のインタフェース処理を行って、ＢＢ同期信号を受信するものである。バスインタフェース部１４３は、バス１０との間のインタフェース処理を行うものである。
【００１６】
制御部１４２は、番組サーバ１１、ＣＭサーバ１２及びスイッチャー１３に対する通常の制御機能に加えて、フィールド同期制御部１４２１を備えている。
【００１７】
フィールド同期制御部１４２１は、放送スケジュールデータに従って、番組データの切替指示からＢＢ同期信号のタイミングで、番組サーバ１１及びＣＭサーバ１２に再生指令信号または再生停止指令信号を送出した上で、スイッチャー１３の切替制御を行なう。
【００１８】
次に、上記構成における動作について説明する。  
すなわち、自動番組送出制御装置１４は、放送スケジュールデータによる切替指示またはユーザの手動操作による切替指示信号が与えられると、切替指示信号受信後のＢＢ同期信号のタイミングで切替指示が到達したと認識し、番組サーバ１１及びＣＭサーバ１２に再生指令信号または再生停止指令信号を送出した後、スイッチャー１３に対しバス１０を介して切替制御信号を送出する。
【００１９】
スイッチャー１３は、切替制御信号が到来すると、この切替制御信号受信後のＢＢ同期信号のタイミングで、切替元の番組データの映像フィールドと切替先の番組データの映像フィールドとを合わせた上で切り替えを行う。これにより、切替前の番組データと切替後の番組データが映像フィールド単位で切り替えられることになる。
【００２０】
以上のように上記実施形態では、自動番組送出制御装置１４に切替指示信号が入力されたときに、自動番組送出制御装置１４にて映像信号のＢＢ同期信号に同期したタイミングで、番組サーバ１１及びＣＭサーバ１２に再生指令信号または再生停止指令信号を送出し、しかる後にスイッチャー１３に対し切替制御信号を送出し、スイッチャー１３にてこの切替制御信号受信後のＢＢ同期信号のタイミングで、切替元の番組データの映像フィールドと切替先の番組データの映像フィールドとを合わせた上で切り替えるようにしている。
【００２１】
従って、映像信号のＢＢ同期信号を利用して切替元の番組データと切替先の番組データとを映像フィールド単位で同期させることができるようになり、これによって映像フィールド単位でスイッチャー１３における切替タイミングの制御を行えるようになる。
【００２２】
また、上記実施形態では、番組サーバ１１、ＣＭサーバ１２、スイッチャー１３及び自動番組送出制御装置１４を全て映像フィールドに同期化することができ、これによりシステム全体の高精度な制御が可能となる。
【００２３】
なお、上記実施形態では、映像信号の同期信号としてＢＢ同期信号を使用していたが、ＢＢ同期信号以外の信号を使用するようにしてもよい。
【００２４】
また、上記実施形態は、２系統の切り替えを行なう場合について説明したが、さらに多数の系統を有する場合でも同様に実施可能である。
【００２５】
さらに、上記実施形態では、映像フィールド単位で制御を行なう例について説明したが、映像フレーム単位であってもよい。
【００２６】
その他、この発明は上記実施形態に限定されるものではなく、種々変形して実施可能である。
【図面の簡単な説明】
【００２７】
【図１】この発明の一実施形態とする放送番組送出システムの概略構成を示すブロック図。
【図２】図２に示した自動番組送出制御装置の機能構成を示すブロック図。
【符号の説明】
【００２８】
１０…バス、１１…番組サーバ、１２…ＣＭサーバ、１３…スイッチャー、１４…自動番組送出制御装置（ＡＰＣ）、１５…同期信号発生器。
【図１】
0004519726.tif 000002
【図２】
0004519726.tif 000003